(57)【要約】【課題】より円滑に蓋部材の開閉を行うことができるゴミ箱を提供することを課題とすること。【解決手段】前後方向に所定長さを有する投入口１１１を上面部１１に有し、投入口１１１の下方に貯留空間を備えた箱状本体１０と、投入口１１１を開閉可能な蓋部材２０と、を備えたゴミ箱Ａであって、蓋部材２０は、その前方部に設けたローラ２４が投入口１１１の側縁部に沿って前後方向に移動可能に案内されているとともに、ローラ２４より後方の適部には、一端部が箱状本体２０の所定部位に回動可能に連結されたリンク部材３０の他端部が回動可能に連結されていることにより、蓋部材２０が、投入口１１１を封鎖する閉状態と、前端部が投入口１１１の後方に位置し、後端部が下方に沈み込む開状態との間を移動可能に構成したことを特徴とする。【選択図】  図４
2009137712.tif 000002
【特許請求の範囲】
【請求項１】
前後方向に所定長さを有する投入口を上面部に有し、上記投入口の下方に貯留空間を備えた箱状本体と、上記投入口を開閉可能な蓋部材と、を備えたゴミ箱であって、
上記蓋部材は、その前方部に設けた係合部が上記投入口の側縁部に沿って前後方向に移動可能に案内されているとともに、上記係合部より後方の適部には、一端部が上記箱状本体の所定部位に回動可能に連結されたリンク部材の他端部が回動可能に連結されていることにより、上記蓋部材が、上記投入口を封鎖する閉状態と、前端部が上記投入口の後方に位置し、後端部が下方に沈み込む開状態との間を移動可能に構成したことを特徴とする、ゴミ箱。
【請求項２】
上記投入口の両側縁部に沿って、ガイド部材が取付けられているとともに、上記蓋部材の前方部に設けた上記係合部は、上記蓋部材の両端部に設けたローラにより構成されており、このローラが上記ガイド部材に係合させられている、請求項１に記載のゴミ箱。
【請求項３】
上記箱状本体の上面部は、後方に向かうほど高位となる傾斜状に形成されている、請求項１または２に記載のゴミ箱。
【請求項４】
上記蓋部材が閉状態をとるとき、上記リンク部材の上記蓋部材に対する連結部と上記箱状本体に対する連結部とを結ぶ線分は、上記蓋部材に対して鋭角となっている、請求項１ないし３のいずれかに記載のゴミ箱。
【請求項５】
上記蓋部材の上面には、ハンドルが取付けられている、請求項１ないし４のいずれかに記載のゴミ箱。
【発明の詳細な説明】
【技術分野】
【０００１】
本発明は、たとえば食品トレイなどの資源ゴミを回収するためのゴミ箱に関する。
【背景技術】
【０００２】
図７および図８は、従来のゴミ箱の一例を示している（たとえば特許文献１参照）。図７および図８に示すゴミ箱Ｘは、箱状本体９１と、蓋部材９２とを備えている。蓋部材９２は複数個のスラット板９３を屈曲可能なように連結して形成されている。ゴミ箱Ｘは、この蓋部材９２を箱状本体９１内に設けられたガイドレール９４に沿ってスライドさせることにより投入口を開閉可能な構成となっている。
【０００３】
しかしながら、ゴミ箱Ｘでは、各スラット板９３をガイドレール９４によって遊動しないように挟み込んで支持しているため、各スラット板９３とガイドレール９４との間の摩擦が大きくなり蓋部材９２を動かしにくくなることがあった。さらに、蓋部材９２をスライドさせる際にスラット板９３の継ぎ目９３１に異物が引っかかり、この異物が箱状本体９１の上部９１２に引っかかり蓋部材９２が動かなくなることがあった。
【０００４】
【特許文献１】特開２０００−２７２７０６号公報
【発明の開示】
【発明が解決しようとする課題】
【０００５】
本発明は、上記した事情のもとで考え出されたものであって、より円滑に蓋部材の開閉を行うことができるゴミ箱を提供することを課題とする。
【課題を解決するための手段】
【０００６】
本発明によって提供されるゴミ箱は、前後方向に所定長さを有する投入口を上面部に有し、上記投入口の下方に貯留空間を備えた箱状本体と、上記投入口を開閉可能な蓋部材と、を備えたゴミ箱であって、上記蓋部材は、その前方部に設けた係合部が上記投入口の側縁部に沿って前後方向に移動可能に案内されているとともに、上記係合部より後方の適部には、一端部が上記箱状本体の所定部位に回動可能に連結されたリンク部材の他端部が回動可能に連結されていることにより、上記蓋部材が、上記投入口を封鎖する閉状態と、前端部が上記投入口の後方に位置し、後端部が下方に沈み込む開状態との間を移動可能に構成したことを特徴とする。
【０００７】
このような構成によれば、上記蓋部材と上記箱状本体との接触部分が上記係合部に限定されるため、上記蓋部材を移動させる際の抵抗が小さくなり、円滑に蓋部材の開閉を行うことが可能となる。
【０００８】
本発明の好ましい実施の形態においては、上記投入口の両側縁部に沿って、ガイド部材が取付けられているとともに、上記蓋部材の前方部に設けた上記係合部は、上記蓋部材の両端部に設けたローラにより構成されており、このローラが上記ガイド部材に係合させられている。このような構成によれば、上記蓋部材を移動させた際により抵抗が生じにくくなるため、より円滑に蓋部材の開閉を行うことが可能となる。
【０００９】
本発明の好ましい実施の形態においては、上記箱状本体の上面部は、後方に向かうほど高位となる傾斜状に形成されている。このような構成によれば、上記投入口の後方の空間が広くなり、上記リンク部材が回動する際に必要な空間を確保しやすくなる。
【００１０】
本発明の好ましい実施の形態においては、上記蓋部材が閉状態をとるとき、上記リンク部材の上記蓋部材に対する連結部と上記箱状本体に対する連結部とを結ぶ線分は、上記蓋部材に対して鋭角となっている。このような構成によれば、上記蓋部材が閉状態をとるとき、上記リンク部材が上記蓋部材の上記適部を支持するため、上記投入口を好ましく封鎖することができる。
【００１１】
本発明の好ましい実施の形態においては、上記蓋部材の上面には、ハンドルが取付けられている。
【００１２】
本発明のその他の特徴および利点は、添付図面を参照して以下に行う詳細な説明によって、より明らかとなろう。
【発明を実施するための最良の形態】
【００１３】
以下、本発明の好ましい実施の形態につき、図面を参照して具体的に説明する。
【００１４】
図１〜図６は、本発明に係るゴミ箱の一例を示している。本実施形態のゴミ箱Ａは、箱状本体１０、蓋部材２０、リンク部材３０、ガイド部材４０、袋支持部材５０、および、キャスター６０を備えている。このゴミ箱Ａでは、蓋部材２０が、図１、図３、図４および図５に示す閉状態と、図２および図６に示す開状態とを移動可能なように構成されている。
【００１５】
箱状本体１０は、図１および図２に示すように、上面部１１、前面に形成された扉１２、上記前面と直交し互いに対向する一対の側面１３、前面と対向する背面１４、上面部１１と対向する下面、および、ゴミ袋などを収容可能な貯留空間１５を備えている。上面部１１は、後方に行くほど高位となるような傾斜状に形成されており、投入口１１１を備えている。投入口１１１は、長辺の一方が上面部１１の前縁付近に位置する長方形状の開口部である。図４に示すように、この投入口１１１の前縁部には、蓋部材２０の前縁部を受け止めるための、係止部材１１２が設けられている。扉１２は、開閉自在なように構成されており、閉じた状態でも貯留空間１５を覗くことが可能な窓１２１が形成されている。一対の側面１３の適所には内方に突出するブラケット１３１が取り付けられている。このブラケット１３１には、リンク部材３０の一端部が回動可能に連結されている。
【００１６】
蓋部材２０は、図３、図４および図５に示すように、投入口１１１に嵌合する長方形状の上面２１、上面２１の各長辺に沿う２つの側面２２１、上面２１の各短辺に沿う２つの側面２２２、ハンドル２３、および、ローラ２４を備えている。側面２２２は、上面２１の両短辺の略全長に沿って、上面２１に直交し、下方に突出するように形成されている。ハンドル２３は、上面２１の前縁部付近に取り付けられており、蓋部材２０を動かす際に把持される。ローラ２４は、本発明に係る係合部であり、側面２２２の前端部に軸２５を介して取り付けられており、ガイド部材４０に係合されている。この蓋部材２０は、図１に示す閉状態では、上面２１が投入口１１１を封鎖する位置に固定される。このとき、蓋部材２０の前端縁は、係止部材１１２に保持されており、その後端部を後述するリンク部材３０によって支持されている。図２および図６に示す開状態では、蓋部材２０は、箱状本体１０に収容されており、蓋部材２０の前端部が投入口１１１の後端部に位置し、後端部が背面１４に当接して支持されている。この開状態では、ハンドル２３が投入口１１１から箱所本体１０の外側に突出している。
【００１７】
リンク部材３０は、図３に示すように、蓋部材２０を挟むように２本設けられた板状部材である。それぞれのリンク部材３０は、図４に示すように、一端部がブラケット１３１に軸３１を介して回動可能に連結されており、他端部が蓋部材２０の側面２２２の後端に軸３２を介して回動可能に連結されている。蓋部材２０の閉状態において、リンク部材３０は略上方を向いて延びている。このとき、リンク部材３０の蓋部材２０の上面２１に対する角度のうち小さい方の角は鋭角となっている。このため、蓋部材２０の閉状態において、リンク部材３０は、蓋部材２０の後端を支持している。蓋部材２０の開状態においては、図６に示すように、リンク部材３０は、略水平方向に向かって延びている。
【００１８】
ガイド部材４０は、図４、図５および図６に示すように、投入口１１１の両短辺に沿って直線的に延び、ローラ２４を案内支持している。このガイド部材４０の後端には、ローラ２４の後方への移動を規制するためのストッパ部材４１が設けられている。このガイド部材４０は、上面部１１に平行で滑らかなガイド面４２と、このガイド面の外側の端縁から上方に延びるガイド側壁４３と、ガイド側壁４３の上端から外方に向かって延び、上面部１１に平行なガイド固定面４４とを備えている。固定面４４は、たとえば溶接されて上面部１１に固定されている。
【００１９】
袋支持部材５０は、貯留空間１５に回収袋などを入れる際に、回収袋を保持するために設けられている。この袋支持部材５０は、扉１２を開けたときに、前後方向に沿って引っ張り出すことにより、箱状本体１０から取り出すことが可能なように構成されている。
【００２０】
キャスター６０は、箱状本体１０の下端の一方の側面１３寄りの前後に２個設けられており、ごみ箱Ａを移動可能としている。アジャスター６１は、箱状本体１０の下端の他方の側面１３寄りの前後に２個設けられており、ゴミ箱Ａの移動および裾付けを容易としている。
【００２１】
次に、上記構成のゴミ箱Ａの作用について説明する。
【００２２】
上記のようなゴミ箱Ａでは、ハンドル２３を把持して押したり引いたりすることによって蓋部材２０を開閉することができる。蓋部材２０を開く際には、蓋部材２０の前端部は、ガイド部材４０に沿って後方に移動する。このとき、蓋部材２０の後端部に連結されたリンク部材３０にも後方に移動させる力が働き、リンク部材３０は軸３１周りに回転する。同時に、リンク部材３０の蓋部材２０の上面２１に対する角度のうち小さい方の角がより小さくなるように、蓋部材２０が軸３２周りに後部が沈み込むように傾倒する。蓋部材２０を閉じる際には、開く際と逆に蓋部材２０の前端部は、ガイド部材４０に沿って前方に移動し、リンク部材３０は開く際と逆向きに回動する。この場合、リンク部材３０の蓋部材２０の上面２１に対する角度のうち小さい方の角がより大きくなるように、蓋部材２０が軸３２周りに傾倒する。蓋部材２０の後端部の動作は、前端部の動きに従って自動的に行われ、ハンドル２３に対する操作以外に力を加える必要はない。
【００２３】
本実施形態では、蓋部材２０の前端部はローラ２４を介してガイド部材４０に係合されており、ハンドル２３を前後に動かした際に、ローラ２４が滑らかなガイド面４２上を移動するように構成されている。このため、ハンドル２３を前後に動かす際の抵抗が小さくなっており、容易かつ円滑に蓋部材２０を開閉することが可能になっている。
【００２４】
本実施形態では、閉状態と開状態においてハンドル２３の上下方向における位置が大幅に変わらないように構成されている。このため、サイズの大きいゴミ箱Ａを設置した際に、開状態におけるハンドル２３の位置が極端に高い位置となりにくくなっており、子供やお年寄りが利用しやすくなっている。
【００２５】
本実施形態では、箱状本体１０の上面部１１が、後方に行くほど高位となる傾斜状に形成されているため、箱状本体１０の後部の上面部１１付近が比較的広くなっており、リンク部材３０を回動させる際に箱状本体１０の内面に接触しにくくなっている。このため、リンク部材３０の回動も円滑に行われ、より一層円滑に蓋部材２０を開閉させることができる。
【００２６】
本発明に係るゴミ箱は、上述した実施形態に限定されるものではない。本発明に係るゴミ箱の各部の具体的な構成は、種々に設計変更自在である。たとえば、上記実施形態においては、ハンドル２３が開状態においても外部に露出しているが、開状態においてハンドル２３の一部又は全部が箱状本体１０内に収容されるような構成であっても構わない。さらに、上記実施形態においては上面部１１が傾斜状形状となっているが、たとえば上面部が平坦な形状であっても本発明の効果を得ることは可能である。
【図面の簡単な説明】
【００２７】
【図１】本発明に係るゴミ箱の一例の閉状態を示す斜視図である。
【図２】図１に示すゴミ箱の開状態を示す斜視図である。
【図３】図１に示すゴミ箱の閉状態の正面図である。
【図４】図３のIV-IV線に沿う断面図である。
【図５】図４のV-V線に沿う断面図である。
【図６】開状態における図４に相当する断面図である。
【図７】従来のゴミ箱の一例を示す断面図である。
【図８】図７のVIII-VIII線に沿う要部断面図である。
【符号の説明】
【００２８】
Ａ              ゴミ箱
１０            箱状本体
１１            上面部
１２            扉
１３            側面
１４            背面
１５            貯留空間
２０            蓋部材
２１            上面
２３            ハンドル
２４            ローラ
２５            軸
３０            リンク部材
３１，３２      軸
４０            ガイド部材
４１            ストッパ部材
４２            ガイド面
４３            ガイド側壁
４４            ガイド固定面
５０            袋支持部材
６０            キャスター
６１            アジャスター
１１１          投入口
１１２          係止部材
１２１          窓部
１３１          ブラケット
２２１，２２２  側面
【図１】
2009137712.tif 000003
【図２】
2009137712.tif 000004
【図３】
2009137712.tif 000005
【図４】
2009137712.tif 000006
【図５】
2009137712.tif 000007
【図６】
2009137712.tif 000008
【図７】
2009137712.tif 000009
【図８】
2009137712.tif 000010